(57)【特許請求の範囲】
【請求項１】
第１の板状ケース部材と、第２の板状ケース部材との間に形成される中空部にカード等を収容するカードケースであって、
前記第２の板状ケース部材は、両面にそれぞれ厚さの異なる第１の平面状凸部と、第２の平面状凸部と、を有し、
第１の板状ケース部材と、前記第１の平面状凸部を接触させて、前記第１の板状ケース部材と前記第２の板状ケース部材とを固定させて第１の状態とし、
前記第２の板状ケース部材を裏返し、第１の板状ケース部材と、前記第２の平面状凸部を接触させて、前記第１の板状ケース部材と前記第２の板状ケース部材とを固定させて第２の状態とし、
前記第１の状態と、前記第２の状態とで前記中空部の深さが異なることを特徴とするカードケース。
【請求項２】
前記第１の板状ケース部材は、第３の平面状凸部を有し、 
前記第３の平面状凸部と、前記第１の平面状凸部を接触させて、前記第１の板状ケース部材と前記第２の板状ケース部材とを固定させて第１の状態とし、
前記第２の板状ケース部材を裏返し、前記第３の平面状凸部と、前記第２の平面状凸部を接触させて、前記第１の板状ケース部材と前記第２の板状ケース部材とを固定させて第２の状態とし、
前記第１の状態と、前記第２の状態とで前記中空部の深さが異なることを特徴とする請求項１記載のカードケース。
【請求項３】
前記第３の平面状凸部は凸部を有し、
前記第１の平面状凸部と前記第２の平面状凸部は溝部を有し、
前記凸部が、前記溝部に嵌ることにより、前記第１の板状ケース部材と、前記第２の板状ケース部材のズレの防止が行われることを特徴とする請求項２記載のカードケース。
【請求項４】
前記第１の板状ケース部材、又は前記第２の板状ケース部材は、少なくとも片面に、保護シートを装着することが可能である請求項１記載のカードケース。
【請求項５】
前記第１の板状ケース部材、又は前記第２の板状ケース部材の前記中空部側に前記保護シートを装着することで、前記中空部の深さを調整することが可能である請求項１記載のカードケース。
【請求項６】
前記保護シート、前記第１の板状ケース部材、前記第２の板状ケース部材の少なくとも１は、紫外線防止加工が施されていることを特徴とする請求項２記載のカードケース。
【請求項７】
前記第１の板状ケース部材、又は前記第２の板状ケース部材は、落款等を有することができるような表面加工を施したことを特徴とする請求項１記載のカードケース。
【請求項８】
前記カードケースの前記中空部等に、ＩＣチップやメモリカード等を格納することを特徴とする請求項１記載のカードケース。
【請求項９】
前記第１の板状ケース部材と、前記第２の板状ケース部材は、溶着して完全密封することを特徴とする請求項１記載のカードケース。
【請求項１０】
前記第１の板状ケース部材と前記第２の板状ケース部材とを固定する固定手段は、はめ込み機構、ねじ留め機構、磁気機構等であることを特徴とする請求項１記載のカードケース。
【発明の詳細な説明】
【技術分野】
【０００１】
本発明は、カード等を収納するカードケースに関するものである。
【背景技術】
【０００２】
近年、例えばトレーディングカードの収集家によるカードの収集や、交換・売買等が行われている。トレーディングカード（以下カードと称する）は、野球、サッカー、バスケットボール等のスポーツ選手の写真や、アニメーションのキャラクタ等の絵柄、映画キャストの写真や映画のシーン、アイドルの写真等が印刷されたカードである。また、ゲームカード等もトレーディングカードに含まれる。カードには、スポーツ選手が着用したジャージの布や、選手のサイン等を入れることもできる。また、カードに内蔵するＩＣチップ等に選手等の音声情報や画像情報等を記録することもできる。
【０００３】
発行数が限定されるカードや、特に希少価値の高いカードなどは、収集家の間では高価な値段で売買されている。
【０００４】
売買の対象となるカードは、鑑定会社でカードの状態が鑑定されて、項目別及び総合評価として数段階の評価点が付けられる。このカードの格付けは通常グレーディングと呼ばれ、格付けを受けたカードがカードケースに収納され密封されるとグレーディングカードと呼ばれる。カードケースは、密封しないまでもカードの破損や劣化・汚れの付着を防ぎ、カードの状態維持を目的として使用される場合もある。
【０００５】
カード自体に特に窓を設け、その絵柄に関連する薄板状物（スポーツ選手のユニフォームの一部、芸能人の身に付けていた衣類の一部、直筆の紙片等）を窓部に設けたカードに関する特許として、特許文献１がある。
【０００６】
また、映像情報、音声情報等をカードに記録、或いは再生し、トレーディングカードの主人公とカード所有者との双方向のコミュニケーションを具現化する特許として、特許文献２がある。
【０００７】
【特許文献１】特開２００２−０７９７８１号公報
【特許文献２】特開２００２−０４９３１２号公報
【発明の開示】
【発明が解決しようとする課題】
【０００８】
しかしながら、カードは全て同一の厚みを有するものではなく、例えばカードの素材が紙であるかプラスチックであるかによってもカードの厚みは異なる場合がある。また、例えばＩＣチップを内蔵するカード等は通常のカードに比べ厚みが厚い物がある。また、選手のユニフォームの一部や直筆の紙片などがカードに内蔵され、カード厚を増している物がある。
【０００９】
本発明で、解決しようとする問題点は、流通しているカードを収納するカードケースを提供する場合、厚みの異なるカードに対して、それぞれ異なるカードケースを作成しなくてはならないことである。
【００１０】
本発明は、このような問題を鑑みてなされたもので、その目的とするところは、異なる厚さのカードの収容が可能なカードケースを提供することである。
【課題を解決するための手段】
【００１１】
前述した目的を達成するための本発明は、第１の板状ケース部材と、第２の板状ケース部材との間に形成される中空部にカード等を収容するカードケースであって、前記第２の板状ケース部材は、両面にそれぞれ厚さの異なる第１の平面状凸部と、第２の平面状凸部と、を有し、第１の板状ケース部材と、前記第１の平面状凸部を接触させて、前記第１の板状ケース部材と前記第２の板状ケース部材とを固定させて第１の状態とし、前記第２の板状ケース部材を裏返し、第１の板状ケース部材と、前記第２の平面状凸部を接触させて、前記第１の板状ケース部材と前記第２の板状ケース部材とを固定させて第２の状態とし、前記第１の状態と、前記第２の状態とで前記中空部の深さが異なることを特徴とするカードケースである。
【００１２】
前記第１の板状ケース部材は、第３の平面状凸部を有し、前記第３の平面状凸部と、前記第１の平面状凸部を接触させて、前記第１の板状ケース部材と前記第２の板状ケース部材とを固定させて第１の状態とし、前記第２の板状ケース部材を裏返し、前記第３の平面状凸部と、前記第２の平面状凸部を接触させて、前記第１の板状ケース部材と前記第２の板状ケース部材とを固定させて第２の状態とし、前記第１の状態と、前記第２の状態とで前記中空部の深さが異なってもよい。
また、前記第３の平面状凸部は凸部を有し、前記第１の平面状凸部と前記第２の平面状凸部は溝部を有し、前記凸部が、前記溝部に嵌ることにより、前記第１の板状ケース部材と、前記第２の板状ケース部材のズレの防止が行われてもよい。
【００１３】
本発明によるカードケースは、第２の板状ケース部材の表裏を逆にして第１の板状ケース部材に装着することで、異なる深さの中空部を実現する。尚、第１の板状ケース部材を表裏逆にして使用することも可能であり、第１、第２の板状ケース部材の表裏の組み合わせにより、幾種類かの異なる深さの中空部を実現することもできる。
【００１４】
第１の板状ケース部材、又は第２の板状ケース部材は、少なくとも片面に、保護シートを装着することが可能である。
【００１５】
第１の板状ケース部材、又は第２の板状ケース部材の中空部側に保護シートを装着することで、中空部の深さを調整することも可能である。
【００１６】
保護シート、第１の板状ケース部材、第２の板状ケース部材の少なくとも１は、紫外線防止加工が施されていてもよい。
【００１７】
また、第１の板状ケース部材、又は第２の板状ケース部材は、落款等を有してもよい。即ち、カードケースの表面（表面又は裏面）には、選手等のサインを書き入れたり、落款を押印したりする表面加工を施してもよい。
【００１８】
また、カードケース内の中空部に、ＩＣチップやメモリカード等を格納してもよい。カードを収容する中空部に、同時にＩＣチップやメモリカード等を収容しても良いし、別の中空部を設けても良い。
【００１９】
また、第１の板状ケース部材と、第２の板状ケース部材は、溶着して完全密封してもよい。
【００２０】
また、第１の板状ケース部材と第２の板状ケース部材とを固定する固定手段は、はめ込み機構、ねじ留め機構、磁気機構等であってもよい。
【００２１】
本発明は、第１の板状ケース部材に、第２の板状ケース部材の表裏を逆にして装着することで、第１の板状ケース部材の平面状凹部と、第２の板状ケース部材の平面状凹部とで形成される中空部の深さが変わるので、同一のカードケースで異なる厚さのカード収容に対応できる。
【発明の効果】
【００２２】
本発明によれば、異なる厚さのカードの収容が可能なカードケースを提供することができる。
【発明を実施するための最良の形態】
【００２３】
以下に、図面に基づいて本発明の実施の形態を詳細に説明する。図１は、本実施の形態に係るカードケース１の斜視図を示す。また、図２は、カードケース１の構造を示す。
【００２４】
（１．構造）
（１−１．カードケース１の構造）
カードケース１は、図１、図２に示すように、カード３の破損や劣化、汚れの付着等を防止するものである。カードケース１は、ケース底７部分とケース蓋５部分とを合わせた時に生じる空間にカード３を収容する。
【００２５】
ケース蓋５の両面には、プロテクトシート９−１、９−２の装着が可能な構造が施される。また、ケース底７の両面にも、プロテクトシート９−３、９−４が装着可能である。尚、ケース蓋５、ケース底７共に、プロテクトシート９の装着枚数や装着箇所は、顧客の希望等により任意に対応することができる。
【００２６】
ケース蓋５やケース底７に施された溝等に、プロテクトシート９を挟み込んで固定する構造を設けても良い。また、ケース蓋５やケース底７にプロテクトシート９を保持する爪状の構造を設けても良い。
【００２７】
図２は、ケース蓋５の両面に、プロテクトシート９−１、９−２を装着し、ケース底７の両面に、プロテクトシート９−３、９−４を装着した状態を示す図である。保護する対象となるカード３は、プロテクトシート９−２とプロテクトシート９−３の間に挟んで収容する。尚、カード３を収容する空間についての詳細は、後述する。
【００２８】
図２では、プロテクトシート９−３、９−４を装着したケース底７の凸状部分（詳細は後述する）にカード３を載せ、プロテクトシート９−１、９−２を装着したケース蓋５の下部の脚部８を、ケース底７の下部の穴部６に嵌め入れてからケース底７上部の爪状の機構でケース蓋５上部を押さえて固定する。
【００２９】
尚、ケース底７とケース蓋５との固定手段は、上述の機構に限らず、ねじ留めするようにしても良いし、マグネット等の磁気を利用して固定する機構であっても良い。
【００３０】
尚、カードケース１を形成するケース蓋５やケース底７は、プラスチック等の硬質で透明度のある材料で作成される。また、プロテクトシート９は透明の薄いフィルム状のプラスチック等の素材から成る。従って、収容されるカード３は、いずれの方向からもカードケース１を通して見ることができるようになっている。
【００３１】
また、カードケース１を形成するケース蓋５、ケース底７、プロテクトシート９には、その一部或いは全部に紫外線防止加工を施しても良い。紫外線防止加工とは、紫外線吸収剤である化学物質を、ケース蓋５、ケース底７、プロテクトシート９等の作成時に材料に添加する加工、或いは表面にコーティングする加工のことである。
【００３２】
さらに、メガネの調光レンズ同様、外の明るさ（紫外線の量）によって、紫外線カット率を変化させる化学物質がある。この化学物質を、ケース本体、プロテクトシート、ケースカバー等の付属品の作成時に材料に添加して、素材自体を変化させるものや、或いは表面にコーティング加工、貼り付け加工を行う場合がある。
【００３３】
カード３等の印刷に使用されるインクは紫外線に弱く、蛍光灯や太陽光等に含まれる紫外線に晒されると長時間の間に色あせなどの劣化を生じる。カードケース１に紫外線防止加工を施すことで、内部に収容するカード３の紫外線による劣化を低減することができる。尚、カード３自体に紫外線防止のコーティングが施されている場合もある。
【００３４】
また、カードケース１の表面となるケース蓋５、又はケース底７に、選手等のサインや落款等が記された上面に、紫外線防止加工を施したプロテクトシート９を装着することで、サインや落款の紫外線による劣化等を低減することができる。
【００３５】
（１−２．カード３）
カード３は、スポーツ選手の写真、アニメーションのキャラクタ等の絵、俳優やアイドルの写真等が印刷されたカードであり、収集家によるカードの収集・交換・売買等が行われている。カード３の破損や劣化を防止し、カードの状態維持を目的としてカード３をカードケース１に保管して保存する場合がある。
【００３６】
また、カード鑑定会社がカード３の状態を鑑定し、項目別にカード３の評価を行ってグレーディングと呼ばれる格付けを行い、カード３をカードケース１に収納して超音波等を用いる専門の機械でケースを溶着し、完全に密封する場合がある。尚、グレーディングを行わなくても顧客の希望により、単に超音波等を用いる専門の機械でケースを溶着し、完全に密封することもできる。
【００３７】
尚、カード３は、プラスチックや紙等の材料からなり、写真等が片面或いは両面に印刷されている。更に、カード３にはカードに関する情報等を記録したＩＣチップ等を内装するようにしても良い。カードに関する情報とは、カード鑑定結果、カード所有者情報、カード取引情報、カードに印刷されたスポーツ選手等の情報（文字情報、静止画、音声或いは動画等）である。
【００３８】
また、カード３に、カードに印刷された選手等のユニフォームの布の一部、衣類等の一部、直筆の紙片等を包含する加工を行う場合もある。
【００３９】
上記のように、カード３を形成する素材の種類、ＩＣチップを内臓するか否か、カード３が布片や紙片等を包含するものであるか、等の条件により、カード３の厚みは様々であり共通ではない。また、カード３以外に、カードケース１の中に、カード３の情報を記録した独立したＩＣチップやフラッシュメモリ等を同時に封入したい場合もあり、カード３を収容する空間にフレキシビリティが望まれる。
【００４０】
（２．第１の中空部）
次に、カードケース１を構成するケース蓋５、及びケース底７との間に形成される空間にカード３を収容する構造について説明する。
【００４１】
図３、図４、図５は、ケース蓋５を第１の方向にして、ケース底７に装着した場合のカードケース１を示す。図３は、図１のＡ−Ａ部から見たカードケース１の端面図を示す。図４は、図１のＢ−Ｂ部から見たカードケース１の端面図を示す。図５は、図３のＣ−Ｃ部分の拡大図を示す。
【００４２】
ケース蓋５は、図１、図２に示すように、正面図としては板状（矩形）の形状を有し、端面図としては図３〜図５に示すように、両面に深さの異なる平面形状の平面状凸部１０−１、１０−２を有する。図５によると、ケース蓋５の両面の平面状凸部１０−１、１０−２は、それぞれプロテクトシート９−１、９−２を装着した状態で、深さｄ１、ｄ２（ここでは、ｄ１＜ｄ２とする）を示す。上述した、「ケース蓋５を第１の方向に装着する」とは、深さの浅いｄ１を、ケース底７の方向に向けて装着するものとする。
【００４３】
尚、ケース底７は図１、図２に示すように、正面図としては板状（矩形）の形状を有し、端面図としては図３〜図５に示すように、ケース蓋５を装着する側に深さのｄ３の平面状凸部１２を有する。また、ケース底７のケース蓋５に密着する部分には、図５に示すように凸部１３が、深さｄ３の平面状凸部１２の外周を囲むように矩形状に設けられる。この凸部１３は、ケース蓋５に設けられる溝部１５−１に嵌り、ケース底７とケース蓋５とのずれを防止する。尚、溝部１５−１は、ケース蓋５の深さｄ１の平面状凸部１０−１の外周を囲むように矩形状に設けられる。
【００４４】
ケース蓋５を第１の方向にしてケース底７に装着すると、両者の平面状凸部１０−１、１２を合わせて中空部１１が形成される。中空部１１の深さは、平面状凸部１０−１、１２の深さの和（ｄ１＋ｄ３）となる。
【００４５】
（３．第２の中空部）
次に、ケース蓋５の表裏を逆にしてケース底７に装着した場合を、ケース蓋５の第２の方向として説明する。図６、図７、図８は、ケース蓋５を第２の方向にして、ケース底７に装着した場合のカードケース１を示す。図６は、図１のＡ−Ａ部から見たカードケース１の端面図を示す。図７は、図１のＢ−Ｂ部から見たカードケース１の端面図を示す。図８は、図６のＤ−Ｄ部分の拡大図を示す。
【００４６】
ケース蓋５の表裏を逆にし、深さの深いｄ２の側をケース底７方向に向けて装着すると、ケース底７の凸部１３が、ケース蓋５の溝部１５−２（深さのｄ２の平面状凸部の外周を囲むように矩形状に設けられる）に嵌り、別の固定手段（図示していないが、前述のはめ込み機構、ねじ留め機構、磁気機構等）でケース蓋５とケース底７とが固定される。
【００４７】
即ち、ケース蓋５を第２の方向にしてケース底７に装着すると、両者の平面状凸部１０−２、１２を合わせて中空部１１が形成される。中空部１１の深さは、平面状凸部１０−２、１２の深さの和（ｄ２＋ｄ３）となる。従って、第２の方向でケース蓋５をケース底７に装着すると、第１の方向で装着したときに比べ、中空部１１の深さが（ｄ２−ｄ１）だけ深くなり、中空部１１に厚みの厚いカード３を収容する場合にも対応できる。
【００４８】
尚、ケース底７の中空部１１側のプロテクトシート９−３、及びケース蓋５の中空部１１側のプロテクトシート９−１を装着するか否かにより、中空部１１の深さを微調整することもできる。
【００４９】
尚、カードケース１内の一部には、カード３に限らず、ＩＣチップやフラッシュメモリ等の記憶メディアや、紙片等を格納することもできる。例えば、カード３を収容する中空部１１の一部に、記憶メディア等を格納するようにしても良いし、カード３を収容するものとは別の中空部を設けるようにしても良い。
【００５０】
尚、本実施の形態では、ケース蓋５の表裏に施す平面状凸部は深さが異なるものとしたが、深さだけでなく表裏に施す凸部の形状を異にする構造にしても良い。この場合は、ケース蓋５の表裏を逆にすることで、同一のカードケース１で異なる形状の物を収容することができる。
【００５１】
また、ケース蓋５の表裏に施す凸部の数を異にする構造にしても良い。例えばケース蓋５の表を使用するとカードを１枚収容でき、ケース蓋５の裏を使用すると、カード形状の小さいカードを２枚収容できる。
【００５２】
また、本実施の形態で説明した形状のカード３を複数枚収容したり、カード以外の紙片や布片等を同時に収容したりすることのできる、大型のカードケースも、本実施の形態の対象とすることができる。
【００５３】
尚、本実施の形態のカードケース１に収容したＩＣチップ等を利用して、商品管理を行うこともできる。
【００５４】
また、カード所有者の有するリーダライタ機能を持つ端末装置が、本実施の形態のカードケース１に収容したＩＣチップ等に記憶されたデータの読み取りを行い、カード管理者のサーバに送ることができる。また、カード管理者のサーバが、カード所有者の有するリーダライタ機能を持つ端末装置を介して、本実施の形態のカードケース１に収容したＩＣチップ等にデータを書き込むこともできる。
【００５５】
（４．効果等）
このように、本実施の形態では、ケース蓋５を表裏逆に使用可能にすることで、厚さの異なるカードの収容を同一のカードケース１で対応することができる。従って、カードの厚み別にカードケースを製造するコストや手間を削減する効果がある。
【００５６】
また、顧客がカード３に関連する紙片等を追加して、カード３と共に収納したい場合、ケース蓋５の表裏を逆にしてケース底７に装着し、中空部１１を厚くして紙片等の追加にも対応することができる。
【００５７】
尚、本実施の形態では、カード３を収容するカードケース１について説明したが、カード３の収容に限らず、厚みの異なる収容物を保管するケースの構造に応用することができる。例えば写真等を収容するケースに使用した場合、写真に関連する紙片等を同時に収容したい場合には中空部厚を深くすることで、対応することができる。
【００５８】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００５９】
【図１】本実施の形態におけるカードケース１の斜視図
【図２】カードケース１の構造を示す図
【図３】図１のカードケース１のＡ−Ａ端面図
【図４】図１のカードケース１のＢ−Ｂ端面図
【図５】図３のＣ−Ｃ部分の拡大図
【図６】ケース蓋５の表裏を逆にした図１のカードケース１のＡ−Ａ端面図
【図７】ケース蓋５を表裏を逆にした図１のカードケース１のＢ−Ｂ端面図
【図８】図６のＤ−Ｄ部分の拡大図
【符号の説明】
【００６０】
１………カードケース
３………カード
５………ケース蓋
６………穴部
７………ケース底
８………脚部
９−１、９−２、９−３、９−４………プロテクトシート
１１………中空部
１３………凸部
１５−１、１５−２………溝部
【要約】
【課題】異なる厚さのカードの収容が可能なカードケースを提供する。
【解決手段】カードケースは、ケース蓋５をケース底７に装着して生じる中空部１１にカード等を収容する。ケース蓋５は、表裏逆にしてケース底７に装着可能な構造を有する。ケース蓋５を表裏逆にすることで、中空部１１を構成するケース蓋５の平面状凸部の深さ（ｄ１又はｄ２）を変更できる。従って、カードケースの中空部１１の深さが変わるので、同一のカードケースで、厚みの異なるカード等の収容に対応することができる。
【選択図】図５
【図１】
0003643840.tif 000002
【図２】
0003643840.tif 000003
【図３】
0003643840.tif 000004
【図４】
0003643840.tif 000005
【図５】
0003643840.tif 000006
【図６】
0003643840.tif 000007
【図７】
0003643840.tif 000008
【図８】
0003643840.tif 000009